(57)【要約】【課題】カメラが開発されて依頼、取得する写真というデータは一元的な軸のデータでしか取得されてこなかった。このことは、見方をかえると、写真を有機的に活用する可能性に取り組むことを妨げた。また、ＧＰＳ付カメラは主にある業種にのみ使用される傾向があり、一般コンシューマーが使用するには、位置情報の取得までに時間を要しすぎる等の参入障壁があり、打破できていない。【解決の手段】カメラで写真を取得する際に写真に多元的な軸の認識をさせる。（データベースとしても活用できる）。また、場所軸を固定化、グルーピング化させることにより、位置情報の取得回数を減少し、結果的には位置情報の時間削減と同等の効果を得られることを可能にした。【選択図】図１
2006139741.tif 000002
【特許請求の範囲】
【請求項１】
カメラに時間軸・場所軸等の軸を多元的に認識させ、取得する写真を取得と同時にデータベース化・固定化できる機能を持たせる技術・概念。また、一度取得した時間軸・場所軸等を固定化させそれ以降に取得する写真を取得と同時にグループ化、またグループ化を解除する機能を持たせる技術・概念。
位置情報を事前にカメラに登録・内臓させ、位置情報を取得できない場所での場所軸を認識させる概念。
【請求項２】
多元化された時間軸・場所軸等の軸、位置情報がグルーピング化されたデータ、場所軸を固定化したデータ等とインターフェースのとれるアルバム等のソフト。
【発明の詳細な説明】
【技術分野】
【０００１】  本発明は、カメラ（ＧＰＳ付カメラ・携帯カメラ等含む）及びそのカメラと互換性のあるアルバム等のソフトに関する。
【背景技術】
【０００２】  従来のカメラは一元的な時間軸・場所軸の認識のみ可能であった。この概念は、写真機が発明されて以来、一度も変わったことがない。また、ＧＰＳ付カメラは今までの一元的な時間軸に一元的とはいえ場所軸が加わった。それにも関わらず使用者は土木建設業等の一部の業者であった。一般コンシューマーの受入れられなかった参入障壁の大きな要因は、位置情報の取得までに時間がかかりすぎるという難点と、場所によっては位置情報が得られないということといわれている。
【発明の開示】
【発明が解決しようとする課題】
【０００３】  以上に述べた通り、カメラが開発されて依頼、取得する写真というデータは一元的なデータでの取得しかされてこなかった。当然、アルバムにデータを反映させた際は、平面でしか写真をとらえることができなかった。また、ＧＰＳ付カメラは、今までの時間軸に場所軸が加味できるようになったにもかかわらず、やはり一元的な軸での管理しかできなかった。また、ＧＰＳ付カメラにおいて、主に使用されているのは、土木現場等であり、それ以外の商業・一般コンシューマーが使用することはほとんどない。参入障壁となっている大きな要因は位置情報取得までに時間がかかりすぎるということと、位置情報が取得できない死角があることがあげられる。私の発明はこれらの参入障壁を解消させるものである。
【課題を解決するための手段】
【０００４】  一元的な軸の管理から情報を多元的に管理することが可能になる（このことはデータベース化等の加工等が可能となる）。また、ＧＰＳ付カメラの欠点と考えられている、位置情報の取得までに時間がかかりすぎるという難点を一度取得した位置情報をその後取得する写真に反映させること（グルーピング化の設定）により位置情報の取得回数を減らすことで改善させることを可能にした。また、ＧＰＳ付カメラの欠点といわれる位置情報が取得できない死角では、当然位置の認識ができなかったが、カメラに位置情報を事前に登録・内蔵させておく事により、取得する写真に位置情報を認識させる事を可能にさせた。また、この発明に対応するアルバム等のソフトは開発されていないため、ソフトの開発をおこなった。
【発明の効果】
【０００５】  上述しように、軸の多元化は今までにないカメラの概念の大革命であり、軸の固定化（グルーピング化）、カメラに事前に位置情報を登録・認識させておく概念も同様に今までにない概念である。これらの発明は新規性があり、高付加価値のあるカメラを市場に提供できると考えている。さらに、買い替え意欲を引き出させるほど強いインプレッションを与えると見込んでいる。また、土木建築業等の一部の事業者しか用いていないＧＰＳ付カメラを一般コンシューマー・商業者でも使用するメリットをもたせることができると考えている。
【発明を実施するための最良の形態】
【０００６】  以下、本発明の形態を図１〜図６にもとづいて説明する。【０００７】  具体的に、軸を多元化する概念を説明する。また、ここでは、時間軸、場所軸の両方をもったＧＰＳ付カメラを仮定して説明する。図１に▲１▼〜▲３▼の図がある。いままでの一元的な軸の概念は▲１▼である。つまり、写真Ｘには日時Ａ、場所Ｅしか認識ができない。私の考える多元的な軸の概念は、▲２▼、▲３▼であり、▲２▼は時間軸を多元化、つまり、実質的な日時Ａ，Ｂ，Ｃと全体に反映させる時間軸Ａを認識している。これをソフトに反映させると図２（イメージ）のようなになる。ここで、全体に把握させた時間軸Ａは、全体をグループ化させている。この時間軸Ａはあくまで写真を取得する時点で認識させたデータベース的な概念である為、後で書き換えをすることが可能である。ここで、先ほどの時間軸Ａを「６万円以下の物件」とくくった場合、図２は６万円以下の物件がどこにあるか一目でわかる不動産の管理資料がとる。▲３▼の場所軸をさらに加え、場所軸Ｅを下北沢と書き換えれば、「下北沢にある６万円以下の物件」として抽出することが可能になる。【０００８】  軸を固定化させ、グルーピングをする概念を説明する。この概念のポイントは、位置情報の取得を一度し、その後の写真に同位置情報を認識させ、都度位置情報を取得する時間を削減させることである。時間が削減されることはこの文章で理解されると思う為、この活用方法を示す。図２の▲１▼は、いままでの時間軸で写真を取得し、ソフト等に保存したものである。通常、ソフトにおとしたデータを自分自身が手を加えない限り、写真は時間の流れともに保管されていく。私の考えた概念は▲２▼であり、イメージをつかみやすくする為にデータをソフトに落としたものが図４（イメージ）である。中学の修学旅行で京都に行った際に、一度位置情報を取得し、その後の取得する写真に同じ位置情報が認識されるように設定する。高校の修学旅行も同様に行う。図４（イメージ）は、データを落としたソフトが京都内の位置情報は京都でグループ化すると仮定して示している。その為、図のように京都をひとつのアルバムとして表示している。【０００９】  カメラに初めから位置情報を登録・内蔵させておき、位置情報が取得できない場所でも、位置を認識させることを可能にする。
【図面の簡単な説明】
【００１０】
【図１】  本発明のうち、軸に関する論理構造を示す。
【図２】  本発明のうち、軸に関する論理構造をソフトにおとしたイメージ図
【図３】  本発明のうち、軸を固定化し、グルーピング化を行った場合の論理構造を示す。
【図４】  本発明のうち、軸を固定化し、グルーピング化を行った場合の補足資料（より本発明がわかるようにソフトに落とした一例）
【図１】
2006139741.tif 000003
【図２】
2006139741.tif 000004
【図３】
2006139741.tif 000005
【図４】
2006139741.tif 000006